(57)【要約】【課題】待ち受け状態において、赤外線受信を開始するためのユーザ操作無しで、送信側の端末に依存することなく、赤外線受信を開始することができる携帯端末を提供する。【解決手段】待ち受け状態に遷移したことを検出する検出手段（Ｓ１０１）と、待ち受け状態に遷移したことが検出された場合、所定時間、赤外線受信機能をＯＮにする起動手段（Ｓ１０９）と、赤外線受信機能が起動されている間、他の携帯端末から赤外線信号を受信する受信手段（Ｓ１１３）と、赤外線受信機能がＯＮにされてから所定時間以内に赤外線信号が受信されなかった場合、赤外線受信機能をＯＦＦにする停止手段（Ｓ１１７）とを備え、起動手段は、赤外線受信機能がＯＦＦにされてから所定時間が経過した場合、前記赤外線受信機能をＯＮにする（Ｓ１０９）。【選択図】  図６
2010245692.tif 000002
【特許請求の範囲】
【請求項１】
待ち受け状態に遷移したことを検出する検出手段と、
前記検出手段により待ち受け状態に遷移したことが検出された場合、所定時間、赤外線受信機能をＯＮにする起動手段と、
前記起動手段により前記赤外線受信機能が起動されている間、他の携帯端末から赤外線信号を受信する受信手段と、
前記起動手段により前記赤外線受信機能がＯＮにされてから所定時間以内に前記受信手段により赤外線信号が受信されなかった場合、前記赤外線受信機能をＯＦＦにする停止手段とを備え、
前記起動手段は、前記停止手段により前記赤外線受信機能がＯＦＦにされてから所定時間が経過した場合、前記赤外線受信機能をＯＮにすることを特徴とする携帯端末。
【請求項２】
前記起動手段は、前記検出手段により待ち受け状態に遷移したことが検出されてから、所定時間経過後に、赤外線受信機能をＯＮにすることを特徴とする請求項１記載の携帯端末。
【請求項３】
前記検出手段は、待ち受け状態以外の状態に遷移したことを検出し、
前記起動手段は、前記赤外線受信機能をＯＮにしている間に、前記検出手段により待ち受け状態以外の状態に遷移したことが検出された場合、前記赤外線受信機能をＯＦＦにすることを特徴とする請求項１記載の携帯端末。
【請求項４】
前記起動手段は、前記赤外線受信機能をＯＮにしている間に、前記受信手段により赤外線信号が受信された場合、前記赤外線受信機能をＯＮにする時間を延長することを特徴とする請求項１記載の携帯端末。
【請求項５】
前記起動手段が前記赤外線受信機能をＯＮにする時間は、前記停止手段が前記赤外線受信機能をＯＦＦにしている時間よりも短いことを特徴とする請求項１記載の携帯端末。
【請求項６】
前記起動手段は、前記検出手段により待ち受け状態に遷移したことが検出された場合、５００ｍ秒間以上、赤外線受信機能をＯＮにすることを特徴とする請求項１記載の携帯端末。
【発明の詳細な説明】
【技術分野】
【０００１】
本発明は、赤外線通信機能を備えた携帯端末に係り、具体的には、待ち受け状態においてユーザ操作無しに赤外線信号を受信することができる携帯端末に関する。
【背景技術】
【０００２】
従来、携帯電話機等の携帯端末において赤外線通信受信を行う際には、ユーザによりメニュー画面から赤外線通信受信を開始するための項目が選択されたことに基づいて、受信動作が開始される。よって、ユーザが携帯端末で赤外線通信を行いたい場合に、赤外線受信を開始させるまでに、手間や時間がかかってしまっていた。
【０００３】
これは、携帯端末の待ち受け状態において、常に赤外線モジュールをＯＮ状態にして赤外線受信可能としておいた場合に、消費電力が大きくなってしまうため、現実的に不可能であるからである。そこで、受信側の携帯端末において、受信可能／不可能状態を繰り返す間欠動作を行うことにより消費電力を抑える方法が考えられ、特許提案されている。
【０００４】
例えば特許文献１によると、無駄な消費電力を極力押さえつつ送信側のみの操作で赤外線通信を開始できる携帯電話機装置が提案されている。この携帯電話装置は、赤外線通信待ち受け状態のときには、赤外線受信部に対する電池からの電源供給を間欠的に行い、赤外線通信を開始するときには、赤外線受信部に電源が供給される時間間隔よりが長い時間継続する起動信号を赤外線送信部を通じて送出するものである。
【先行技術文献】
【特許文献】
【０００５】
【特許文献１】特開２０００−２２８６４７号公報
【発明の概要】
【発明が解決しようとする課題】
【０００６】
赤外線受信待ち受け状態では電源供給を間欠的に行い、赤外線の起動信号を送出する際には時間間隔を間欠の間隔より長くする方法では、受信側において、送信側が相手探索手順のＸＩＤ（Ｅｘｃｈａｎｇｅ  Ｓｔａｔｉｏｎ  Ｉｄｅｎｔｉｆｉｃａｔｉｏｎ）フレームを送信している時間よりも短い時間、電源が供給されるため、受信側の消費電力を軽減することができるが、受信側、送信側の双方においてソフトウェアの変更が必要となってしまうなど、実用化に弊害があった。
【０００７】
本発明は、上記課題を鑑みてなされてものであり、待ち受け状態において、赤外線受信を開始するためのユーザ操作無しで、送信側の端末に依存することなく、赤外線受信を開始することができる携帯端末を提供することを目的とする。
【課題を解決するための手段】
【０００８】
上記課題を解決するために、本発明に係る携帯端末は、待ち受け状態に遷移したことを検出する検出手段と、前記検出手段により待ち受け状態に遷移したことが検出された場合、所定時間、赤外線受信機能をＯＮにする起動手段と、前記起動手段により前記赤外線受信機能が起動されている間、他の携帯端末から赤外線信号を受信する受信手段と、前記起動手段により前記赤外線受信機能がＯＮにされてから所定時間以内に前記受信手段により赤外線信号が受信されなかった場合、前記赤外線受信機能をＯＦＦにする停止手段とを備え、前記起動手段は、前記停止手段により前記赤外線受信機能がＯＦＦにされてから所定時間が経過した場合、前記赤外線受信機能をＯＮにすることを特徴とする。
【発明の効果】
【０００９】
本発明に係る携帯端末によると、待ち受け状態において、赤外線受信を開始するためのユーザ操作無しで、送信側の端末に依存することなく、赤外線受信を開始することが可能となる。
【図面の簡単な説明】
【００１０】
【図１】本発明に係る携帯端末（携帯電話機）を示す斜視図。
【図２】本発明に係る携帯端末（携帯電話機）の機能を示すブロック図。
【図３】本発明に係る携帯端末（携帯電話機）において赤外線通信制御処理を説明するための概略図。
【図４】（Ａ）及び（Ｂ）は、本発明に係る携帯端末（携帯電話機）が赤外線通信を行う際の、送信側の動作を示す概略図。
【図５】本発明に係る携帯端末（携帯電話機）が赤外線通信を行う際の、受信側の動作を示す概略図。
【図６】本発明に係る携帯端末（携帯電話機）において、赤外線通信制御処理を行う際の手順を示すフローチャート。
【発明を実施するための形態】
【００１１】
本発明に係る携帯端末の実施形態について、添付図面を参照しながら説明する。本発明に係る携帯端末として、赤外線センサ（後述する赤外線送受信装置１５）を備え、他の携帯端末に対して赤外線信号を送受信することができる携帯電話機１を例に挙げて説明する。
【００１２】
図１は、携帯電話機１を示す斜視図である。携帯電話機１は、図１に示すように、矩形の板状の筐体１０を備えている。筐体１０の表面には、データを表示するとともに接触によりデータを入力するタッチスクリーン１１、音声を出力するためのスピーカ１２、音声を入力するためのマイクロフォン１３、押下されることにより指示を入力する複数の操作キー１４、及び、赤外線信号を送信したり赤外線信号を受信したりする赤外線送受信装置１５が設けられている。
【００１３】
タッチスクリーン１１は、文字や画像等からなる表示データを表示する表示機能、及び、ユーザが指や専用のペンで画面に触れた際にこの接触位置を検知することにより指示を入力する入力機能の双方の機能を備えたディスプレイである。タッチスクリーン１１は、例えばディスプレイの上に、表面に接触を検知するための素子が複数配置され、さらにその上に透明なスクリーンが積層されることにより形成されている。タッチスクリーン１１上での接触を感知する方法は、圧力の変化を感知する感圧式であっても、静電気による電気信号を感知する静電式であっても、その他の方法であっても良い。
【００１４】
操作キー１４は、例えば、タッチスクリーン１１に表示されたカーソルを上下左右に移動させたり画面をスクロールさせたりするための方向キーや、電話発呼するための発呼キー、通話を終了するための終話キー、メール機能やＷｅｂ機能を起動するためのショートカットキーなどである。赤外線送受信装置１５は、電気信号から赤外線信号を生成して発信する赤外線発信装置、赤外線信号を受光して電気信号に変換する赤外線受信装置を具備している。
【００１５】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、赤外線通信制御部２６、及び記憶部２７がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する赤外線通信制御処理、その他の様々な演算処理や制御処理等を行う。電源回路部２１はバッテリ等の電源供給源を具備し、例えばユーザによる操作キー１４を介した入力に基づいて電源のオン／オフ状態を切り替え、電源がオン状態の場合に電力供給源から各部に対して電力を供給して、携帯電話機１を動作可能にする。
【００１７】
操作入力制御部２２はタッチスクリーン１１に対する入力インタフェースを備え、タッチスクリーン１１の表面における接触を感知すると、その接触位置を示す信号を生成して主制御部２０に伝送する。また、操作入力制御部２２は操作キー１４に対する入力インタフェースを備え、操作キー１４の押下を検出すると、その押下されたキーを示す信号を生成して主制御部２０に伝送する。信号を受信した主制御部２０は、この信号に基づいた処理を行う。
【００１８】
表示制御部２３はタッチスクリーン１１に対する表示インタフェースを備え、主制御部２０の制御に基づいて、文書や画像等からなる画面をタッチスクリーン１１に表示する。
【００１９】
音声制御部２４は、主制御部２０の制御に基づいて、マイクロフォン１３で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１２から音声として出力する。
【００２０】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１２から出力されたり、表示制御部２３に伝送されてタッチスクリーン１１に表示されたり、または記憶部２６に記録されたりする。また通信制御部２５は、主制御部２０の制御に基づいて、マイクロフォン１３で集音された音声データや、タッチスクリーン１１または操作キー１４を介して入力されたデータや記憶部２６に記憶されたデータを取得すると、これらのデータに対してスペクトラム拡散処理を行い、基地局に対してアンテナ２５ａを介して送信する。
【００２１】
赤外線通信制御部２６は、赤外線送受信装置１５に対するインタフェースを備えている。赤外通信制御部２６は、赤外線送受信装置１５が他の赤外線発振装置から赤外線信号を受信して電気信号を生成した際に、この電気信号から、例えばＩｒＤＡ（Ｉｎｆｒａｒｅｄ  Ｄａｔａ  Ａｓｓｏｃｉａｔｉｏｎ）の規格に基づいて電気信号を変換して主制御部２０に伝送する。また、赤外線通信制御部２６は、主制御部２０の制御に基づいて、例えばＩｒＤＡの規格に基づいた電気信号を生成し、赤外線送受信装置１５にこの電気信号に基づいて赤外線信号を生成させて送信させる。
【００２２】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する赤外線通信制御処理を行う際の処理プログラムは、例えばＲＯＭに記憶されているものとする。
【００２３】
図３は、携帯電話機１における他の携帯端末１Ａとの赤外線通信制御処理を説明するための概略図である。携帯電話機１の赤外線通信先となる携帯端末１Ａは、例えばデジタルカメラ、ＰＤＡ（Ｐｅｒｓｏｎａｌ  Ｄｉｇｉｔａｌ  Ａｓｓｉｓｔａｎｔｓ）、デジタルテレビ、プリンタ、ＰＣ（Ｐｅｒｓｏｎａｌ  Ｃｏｍｐｕｔｅｒ）、携帯電話機等であり、これらは全て、赤外線通信制御部２６により通信制御される通信規格（例えば赤外線通信；ＩｒＤＡ等）に基づいて無線通信を行う機能を備えている。
【００２４】
図３に示すように、携帯電話機１は赤外線信号の送受信機能を備えているが、特に待ち受け状態において、赤外線受信を開始させるためのユーザ操作無しで、赤外線信号の受信を開始する機能を備えている。図４（Ａ）及び図４（Ｂ）は、送信側の携帯端末１Ａが赤外線通信を行う際の動作を示す概略図であり、図５は、受信側の携帯端末（携帯電話機１）が赤外線通信を行う際の動作を示す概略図である。携帯電話機１、送信側の携帯端末１Ａは、例えば、ＩｒＭＣモードやＩｒＤＡ／ＩｒＳｉｍｐｌｅ（Ｂｉモード）通信が可能な携帯端末である。
【００２５】
送信側の携帯端末１Ａは、図４（Ａ）に示すように、予め設定されたスロット数分のＸＩＤ（Ｅｘｃｈａｎｇｅ  Ｓｔａｔｉｏｎ  Ｉｄｅｎｔｉｆｉｃａｔｉｏｎ）フレームを送信した後、所定時間（例えば５００ｍｓ）送信を停止し、再び次のＸＩＤフレームを送信する。送信側の携帯端末１Ａは、このように所定時間送信した後に所定時間停止する処理を繰り返すことにより、継続してＸＩＤフレームを送信する。なお、図４（Ｂ）に示すように、送信側の携帯端末１ＡがＸＩＤフレームを送信する際には、例えば６スロット（＋最後の１スロット）のＸＩＤフレームが連続して送信される。
【００２６】
そのため、受信側の携帯電話機１は、ＸＩＤフレームを確実に受信するために、送信側の携帯端末１Ａが相手探索中に赤外線信号が未送信となる時間の最大値（例えば５００ｍｓ）以上の時間Ｘ（５００ｍｓ＋α（αは任意））だけ赤外線送受信装置１５の電源をＯＮにして、この間、赤外線信号が受信できる状態にする。（ここでは、例えばＸ＝６００ｍｓとする。）その後、受信側の携帯電話機１は、赤外線送受信装置１５の電源をＯＦＦにして、この間、赤外線信号が受信できない状態にして、ユーザが赤外線信号の受信を待てる範囲の時間Ｙ（例えば３ｓ）だけ待機する。
【００２７】
受信側の携帯電話機１の赤外線送受信装置１５をＯＮにしている時間が、送信側の携帯端末１Ａの未送信時間の最大（例えば５００ｍｓ）より小さい場合には、赤外線の未送信時間の間に赤外線送受信装置１５のＯＮ状態が終了してしまうおそれがある。つまり、赤外線送受信装置１５のＯＮ状態が６００ｍｓではなくて４００ｍｓであった場合には、赤外線送受信装置１５のＯＮ状態が開始されて終了するまでの４００ｍｓが、赤外線の未送信時間５００ｍｓの間に完全に入ってしまった場合には、受信側の携帯電話機１は、送信側の携帯端末１Ａからの赤外線信号を検知できず、再度３秒間、待機しなければならない可能性がある。これを防止するために、赤外線の未送信時間（例えば５００ｍｓ）より大きい時間（例えば６００ｍｓ）だけ赤外線送受信装置１５をＯＮ状態にすることにより、赤外線の未送信時間５００ｍｓを挟む前後の（ＸＩＤフレームの）赤外線信号が受けやすくなる。受信側の携帯電話機１が赤外線を受信できれば、スムーズに赤外線送受信装置１５のＯＮ状態延長の動作に入ることができ、３ｓが経過することなくＸＩＤフレームの応答を返して赤外線通信の接続手順に入ることができる。
【００２８】
受信側の携帯電話機１において、待ち受け状態の際の赤外線受信側間欠動作を行い、送信側の携帯端末１Ａが相手探索中に赤外線信号が未送信となる時間の最大値（例えば５００ｍｓ）以上の時間Ｘ（例えば６００ｍｓ）継続して赤外線送受信装置１５の電源をＯＮにして、時間Ｙ（例えば３ｓ）だけ赤外線送受信装置１５の電源をＯＦＦにする。受信側の携帯電話機１は、このように所定時間電源をＯＮにした後に所定時間電源をＯＦＦにする処理を繰り返すことにより、待ち受け状態において赤外線信号の受信を行う。この際、送信側の携帯端末１Ａから送信された赤外線信号を受信できる最低限の時間だけ赤外線送受信装置１５の電源をＯＮにすることで、消費電力が大幅に軽減される。そして、受信側の携帯電話機１は、待ち受け状態からパーシャル状態（発光輝度を落とす等により全点灯状態に比べて暗めにした状態であるが、ディスプレイ上の文字やアイコンが識別可能な点灯状態）やバックライトＯＦＦ状態、または画面表示ＯＦＦ状態に遷移したときに、この赤外線受信側間欠動作を停止して、赤外線送受信装置１５の電源をＯＦＦにすることで、更に消費電力を軽減する。
【００２９】
そして受信側の携帯電話機１は、赤外線受信可能状態（赤外線送受信装置１５の電源がＯＮの状態）において、送信側からの何らかの赤外線信号を受信した場合（例えばＢＯＦ信号とＥＯＦ信号を検出した場合）、赤外線受信可能状態をさらに時間Ｚ（例えば２〜３ｓ）だけ継続する。そしてＩｒＬＡＰの接続（ＳＮＲＭ／ＵＡ）を検出した時点で、通常の赤外線通信動作に移行する。
【００３０】
このように、赤外線受信側の携帯電話機１は、待ち受け状態において、赤外線受信開始の操作をしなくても良いように、携帯電話機１の待ち受け状態において赤外線間欠動作を行うことにより、赤外線送受信装置１５の消費電力を抑えつつ赤外線受信を可能としている。これにより、ユーザが携帯電話機１を用いて赤外線通信を行う際に、赤外線受信開始の操作を行う手間や時間が省略できる。また、赤外線間欠動作を行うため、常に赤外線送受信装置１５の電源がＯＮ状態の場合より、はるかに消費電力が抑えられる。さらに、赤外線送信側の携帯端末１Ａにおける動作変更は必要ないため、赤外線受信側の携帯電話機１は、現在市場に流通している一般的な携帯端末から、待ち受け状態で赤外線信号を受信することができる。
【００３１】
受信側の携帯電話機１がこの赤外線通信制御処理を行う際の手順を、図６に示すフローチャートに基づいて説明する。以下、例えば「ステップＳ１０１」を「Ｓ１０１」のように、「ステップ」の語句を省略して説明する。
【００３２】
主制御部２０は、携帯電話機１が待ち受け状態に遷移したか否かを判断する（Ｓ１０１）。携帯電話機１は、例えばユーザによる所定の操作（音声通話やメール閲覧操作など）が終了された場合や、不使用状態から例えば所定の操作キー１４が押下された場合に、待ち受け状態に遷移する。携帯電話機１が待ち受け状態に遷移していない場合（Ｓ１０１のＮｏ）は、主制御部２０はそのまま待機する。
【００３３】
携帯電話機１が待ち受け状態に遷移した場合（Ｓ１０１のＹｅｓ）は、主制御部２０は、赤外線間欠動作を開始し、ユーザが待てる範囲の時間Ｙ（例えば３ｓ）のタイマーを起動する（Ｓ１０３）。その後、主制御部２０は、ステップＳ１０３にて起動した時間Ｙのタイマーが終了したか否かを判断する（Ｓ１０５）。時間Ｙのタイマーが終了していない場合（Ｓ１０５のＮｏ）は、主制御部２０は、携帯電話機１が待ち受け状態であるか否かを判断する（Ｓ１０７）。携帯電話機１は、ステップＳ１０１にて待ち受け状態に遷移してから無操作状態が一定時間経過すると不使用状態に遷移する。また携帯電話機１は、待ち受け状態においてユーザにより何らかの操作がされると使用状態に遷移する。これらの場合に、主制御部２０は、携帯電話機１が待ち受け状態でなくなったものと判断する。
【００３４】
携帯電話機１が待ち受け状態でなくなった場合（Ｓ１０７のＮｏ）は、ステップＳ１０１に戻って、主制御部２０は携帯電話機１が再び待ち受け状態に遷移するまで待機する。携帯電話機１が待ち受け状態であった場合（Ｓ１０７のＹｅｓ）は、ステップＳ１０５に戻って、主制御部２０は、ステップＳ１０３にて起動した時間Ｙのタイマーが終了したか否かを判断する。
【００３５】
時間Ｙのタイマーが終了した場合（Ｓ１０５のＹｅｓ）は、主制御部２０は、赤外線送受信装置１５の電源をＯＮにする（Ｓ１０９）。これにより、携帯電話機１は、他の携帯端末（例えば携帯端末１Ａ）から赤外線信号が送信されたときに、この赤外線信号を受信することができる。そして主制御部２０は、送信側の携帯端末１Ａが相手探索中に赤外線信号が未送信となる時間の最大値（例えば５００ｍｓ）以上の時間Ｘ（例えば６００ｍｓ）のタイマーを起動する（Ｓ１１１）。
【００３６】
主制御部２０は、赤外線送受信装置１５により赤外線信号を受信したか否かを判断する（Ｓ１１３）。この際、主制御部２０は、例えば送信側の携帯端末１Ａから送信されたいずれかのＸＩＤフレームを受信した場合に、赤外線信号を受信したものと判断する。赤外線信号を受信していない場合（Ｓ１１３のＮｏ）は、主制御部２０は、携帯電話機１が待ち受け状態であるか否かを判断する（Ｓ１１５）。すなわち携帯電話機１は、ステップＳ１０１にて待ち受け状態に遷移してから無操作状態が一定時間経過すると不使用状態に遷移する。また携帯電話機１は、待ち受け状態においてユーザにより何らかの操作がされると使用状態に遷移する。これらの場合に、主制御部２０は、携帯電話機１が待ち受け状態でなくなったものと判断する。
【００３７】
携帯電話機１が待ち受け状態でなくなった場合（Ｓ１１５のＮｏ）は、主制御部２０は赤外線送受信装置１５の電源をＯＦＦにした（Ｓ１１６）後、ステップＳ１０１に戻って、携帯電話機１が再び待ち受け状態に遷移するまで待機する。携帯電話機１が待ち受け状態であった場合（Ｓ１１５のＹｅｓ）は、主制御部２０は、ステップＳ１１１にて起動した時間Ｘのタイマーが終了したか否かを判断する（Ｓ１１７）。
【００３８】
時間Ｘのタイマーが終了していない場合（Ｓ１１７のＮｏ）は、ステップＳ１１３に戻って、主制御部２０は再び赤外線信号を受信したか否かを判断する。時間Ｘのタイマーが終了した場合（Ｓ１１７のＹｅｓ）は、主制御部２０は、赤外線送受信装置１５の電源をＯＦＦにする（Ｓ１１９）。これにより、携帯電話機１は、他の携帯端末（例えば携帯端末１Ａ）から赤外線信号が送信されても、この赤外線信号を受信しない。そして主制御部２０は、ステップＳ１０３に戻って、再び、ユーザが待てる範囲の時間Ｙ（例えば３ｓ）のタイマーを起動する。
【００３９】
赤外線送受信装置１５により赤外線信号を受信した場合（Ｓ１１３のＹｅｓ）は、主制御部２０は、赤外線通信の接続を確立するための時間Ｚ（例えば２〜３ｓ）のタイマーを起動する（Ｓ１２１）。その後、主制御部２０は、ステップＳ１２１にて起動した時間Ｚのタイマーが終了したか否かを判断する（Ｓ１２３）。
【００４０】
ステップＳ１２１にて起動した時間Ｚのタイマーが終了した場合（Ｓ１２３のＹｅｓ）は、主制御部２０は、赤外線送受信装置１５の電源をＯＦＦにする（Ｓ１２５）。これにより、携帯電話機１は、他の携帯端末（例えば携帯端末１Ａ）から赤外線信号が送信されても、この赤外線信号を受信しない。そして主制御部２０は、ステップＳ１０３に戻って、再び、ユーザが待てる範囲の時間Ｙ（例えば３ｓ）のタイマーを起動する。
【００４１】
ステップＳ１２１にて起動した時間Ｚのタイマーが終了していない場合（Ｓ１２３のＮｏ）は、主制御部２０は、ステップＳ１１３にて受信した赤外線信号に引き続いて、赤外線接続フレームを受信したか否かを判断する（Ｓ１２７）。赤外線接続フレームを受信していない場合（Ｓ１２７のＮｏ）は、ステップＳ１２３に戻って、主制御部２０は再びステップＳ１２１にて起動した時間Ｚのタイマーが終了したか否かを判断する。赤外線接続フレームを受信した場合（Ｓ１２７のＹｅｓ）は、主制御部２０は、赤外線接続動作を行う（Ｓ１２９）。
【００４２】
主制御部２０は、赤外線通信が完了したか否かを判断する（Ｓ１３１）。赤外線通信が完了していない場合（Ｓ１３１のＮｏ）は、主制御部２０はそのまま赤外線通信を継続する。赤外線通信が完了した場合（Ｓ１３１のＹｅｓ）は、主制御部２０は、赤外線送受信装置１５の電源をＯＦＦにする（Ｓ１３３）。
【００４３】
なお、ステップＳ１０１において、ユーザ操作により電源ＯＦＦ／ＯＮキー押下された直後であってユーザが赤外線通信以外の操作を行うことを意図している場合などを考慮して、受信側の携帯電話機１は、待ち受け状態がＵ時間（例えば２〜３ｓ）続いた場合（Ｓ１０３、Ｓ１０５のＹｅｓ）に赤外線間欠動作を開始すると良い。
【００４４】
このようにして携帯電話機１は、待ち受け状態において、赤外線受信側間欠動作を行うことにより、赤外線信号の受信を開始するためのユーザ操作をせずとも赤外線信号の受信が可能である。これにより、ユーザが携帯電話機１を用いて赤外線信号を受信したい場合に、赤外線信号の受信を開始するための操作を行う手間や時間が省略できて便利になる。また、携帯電話機１は、赤外線信号の受信の待機をする際に、赤外線受信側間欠動作を行っているため、常時赤外線送受信装置１５の電源をＯＮにしている場合より大幅に消費電力が抑えられる。
【００４５】
さらに携帯電話機１は、待ち受け状態にあるときにだけ赤外線受信側間欠動作を行い、使用状態（ユーザが赤外線機能以外のいずれかの機能を使用している状態）やパーシャル動作に遷移したときには赤外線受信側間欠動作を停止することで、更に消費電力を抑えることができる。そして、送信側の携帯端末１Ａにおいては動作変更が必要ないため、携帯電話機１は、現在市場に流通している一般的な携帯端末から、上述した赤外線通信制御処理により赤外線信号を受信することができる。
【００４６】
なお、赤外線通信がＩｒＳｉｍｐｌｅ  Ｂｉモードで行われる場合、送信側のＤｉｓｃｏｖｅｒｙ手順の送信間隔が最大８５ｍｓであるため、受信側は、上記５００ｍｓ以上の時間Ｘの受信可能状態に、送信側からの赤外線信号を十分に受信可能となり、受信側において上述した赤外線通信制御処理を適用することができる。すなわち、ＩｒＳｉｍｐｌｅ  Ｂｉモードの場合には、従来のＩｒＤＡの場合（５００ｍｓ）ほど赤外線の未送信時間が長くはないため、一回の赤外線受信可能時間（６００ｍｓ等）に、送信側からの赤外線信号（ＸＩＤ，ＳＮＲＭ）が受けられ、赤外線送受信装置１５のＯＮ状態延長の動作に入り、３ｓ経過することなく従来のＩｒＤＡまたはＩｒＳｉｍｐｌｅ  Ｂｉモードの接続手順に入ることができるからである。なお、ＩｒＳｉｍｐｌｅ  ＢｉモードのＤｉｓｃｏｖｅｒｙ手順の場合は、図４に示すように、送信側から「ＳＮＲＭ→ＸＩＤ（０）→ＸＩＤ（ｅｎｄ）→ＳＮＲＭ」が１セットで繰り返し送信される。
【００４７】
また、赤外線通信がＩｒＳｉｍｐｌｅ  Ｕｎｉモードで行われる場合には、送信側から一方的に送信する動作であるため、受信側において上述した赤外線通信制御処理を適用することができない。タイミングによっては受信できることもあるが、受信できる場合と受信できない場合とが混在しているとユーザが混乱するおそれがあるため、ＩｒＳｉｍｐｌｅ  Ｕｎｉモードの受信を非サポートにすることが望ましい。ただし、ユーザ操作によるメニュー選択からの赤外線受信を残しておくことでＩｒＳｉｍｐｌｅ  Ｕｎｉモードの受信に対応することは可能である。
【００４８】
本発明に係る携帯端末（携帯電話機１）によると、待ち受け状態において、赤外線受信を開始するためのユーザ操作無しで、送信側の端末に依存することなく、赤外線受信を開始することが可能となる。
【００４９】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ、携帯音楽プレイヤー、携帯ゲーム機、携帯テレビ、ノート型ＰＣ等、赤外線通信機能を備えている携帯端末であれば、任意の携帯端末であっても良い。
【符号の説明】
【００５０】
１…携帯電話機，１Ａ…携帯端末，１０…筐体，１１…タッチスクリーン，１２…スピーカ，１３…マイクロフォン，１４…操作キー、１５…赤外線送受信装置，２０…主制御部，２１…電源回路部，２２…操作入力制御部，２３…表示制御部，２４…音声制御部，２５…通信制御部，２５ａ…アンテナ，２６…赤外線通信制御部，２７…記憶部。
【図１】
2010245692.tif 000003
【図２】
2010245692.tif 000004
【図３】
2010245692.tif 000005
【図４】
2010245692.tif 000006
【図５】
2010245692.tif 000007
【図６】
2010245692.tif 000008
【手続補正書】
【提出日】平成21年4月16日(2009.4.16)
【手続補正１】
【補正対象書類名】明細書
【補正対象項目名】００２６
【補正方法】変更
【補正の内容】
【００２６】
そのため、受信側の携帯電話機１は、ＸＩＤフレームを確実に受信するために、送信側の携帯端末１Ａが相手探索中に赤外線信号が未送信となる時間の最大値（例えば５００ｍｓ）以上の時間Ｘ（５００ｍｓ＋α（αは任意の値で、携帯端末１Ａが送信開始してから携帯電話機１が赤外線を検出するために必要な時間を含む））だけ赤外線送受信装置１５の電源をＯＮにして、この間、赤外線信号が受信できる状態にする。（ここでは、例えばＸ＝６００ｍｓとする。）その後、受信側の携帯電話機１は、赤外線送受信装置１５の電源をＯＦＦにして、この間、赤外線信号が受信できない状態にして、ユーザが赤外線信号の受信を待てる範囲の時間Ｙ（例えば３ｓ）だけ待機する。
【手続補正２】
【補正対象書類名】明細書
【補正対象項目名】００４６
【補正方法】変更
【補正の内容】
【００４６】
なお、携帯端末１Ａからの赤外線通信がＩｒＳｉｍｐｌｅ  Ｂｉモードで行われる場合、従来のＩｒＤＡの場合（５００ｍｓ）ほど赤外線の未送信時間が長くはないため、一回の赤外線受信可能時間（６００ｍｓ等）に、送信側からの赤外線信号（ＸＩＤ，ＳＮＲＭ）が受けられるため、受信側において上述した赤外線通信制御処理を適用することができる。携帯電話機１がＩｒＳｉｍｐｌｅ  Ｂｉモードによる赤外線信号を検出した場合の動作は、携帯電話機１がＩｒＳｉｍｐｌｅ  Ｂｉモードに対応か非対応かで、その後の動作が異なる。携帯電話機１がＩｒＳｉｍｐｌｅ  Ｂｉモードに対応している場合はＩｒＳｉｍｐｌｅ  Ｂｉモードでの通信が行われ、携帯電話機１が従来のＩｒＤＡのみ対応の場合は、従来のＩｒＤＡでの通信が可能となる。